(57)【特許請求の範囲】
【請求項１】
ホッパに積載した紙葉類を順次送出する紙葉類給紙機構において、前記ホッパへ前記紙葉類を積載する掲載時に積載された全ての前記紙葉類の先端部が一直線に揃い、かつ前記紙葉類の先端部が前記ホッパの底部に対してあらかじめ決められた角度で積載されるよう前記紙葉類の先端部を支えるシャッタ板を設け、給紙開始時に前記シャッタ板が前記紙葉類の前記先端部から回動して前記ホッパから送出される前記紙葉類の搬送路を構成するガイド板として機能することを特徴とする紙葉類給紙機構。
【請求項２】
読み取り機構に供給する紙葉類を積載するホッパと、前記ホッパに積載された前記紙葉類を前記読み取り機構へ供給する給紙時に前記ホッパに積載された前記紙葉類の最上部の紙葉類に接触した状態で前記紙葉類を１枚ずつ送出するローラを先端に設けた給紙用アームとを備えた紙葉類給紙機構において、前記ホッパへの前記紙葉類の積載時に前記ホッパへ積載される前記紙葉類の先端部が当接して積載された全ての前記紙葉類の先端部が一直線に揃うように、かつ前記ホッパの底部に対しての、一直線に揃った先端部の角度があらかじめ決められた角度になるように前記ホッパの底部に設けられ、前記給紙の開始時に前記給紙用アームの下降動作と連動して、前記給紙用アームの先端に設けられた前記ローラが前記紙葉類の最上部の紙葉類に接触したときに前記紙葉類の前記先端部から離れて、前記読み取り機構に送出される前記紙葉類の搬送路を構成するガイド板として機能し、前記ホッパの紙葉類が無くなったときの前記給紙用アームの上昇動作と連動して、前記給紙の開始時の元の位置に戻るシャッタ板と、前記給紙用アームの動作と連動して前記シャッタ板を駆動するシャッタ板駆動手段とを備えたことを特徴とする紙葉類給紙機構。
【請求項３】
請求項２記載の紙葉類給紙機構において、前記ホッパに積載された前記紙葉類が全て送出され無くなったことが検出されとき、前記シャッタ板が前記シャッタ駆動板手段に駆動されて前記ホッパへの前記紙葉類の積載時の位置に戻ることを特徴とする紙葉類給紙機構。
【請求項４】
請求項２または請求項３記載の紙葉類給紙機構において、前記シャッタ板駆動手段は、前記給紙用アームを上下動させる駆動源となるモータと、前記モータの駆動力を伝達する前記ギヤと、前記ギヤと連動して回転するシャフトと、前記ギヤが取り付けられた一端と反対側の、前記シャフトの一端に直角に一端を取り付けられた第１のシャッタ板駆動アームと、一端を前記第１のシャッタ板駆動アームの一端と回動自由に重ねて結合され、前記第１のシャッタ板駆動アームの回転運動に応じてピストン運動をして前記第１のシャッタ板駆動アームの回転運動を直線運動に変換する第２のシャッタ板駆動アームと、前記第１のシャッタ板駆動アームに取り付けられた一端と反対側の、前記第２のシャッタ板駆動アームの先端に取り付けられ、ピストン運動を行う前記第２のシャッタ板駆動アームの動きに応じて移動するローラと、前記ローラの動きを規正するガイドと、前記シャッタ板に取り付けられ、前記シャッタ板を前記紙葉類の先端部から離すように引張るスプリングと、前記シャッタ板に取り付けられ、前記ローラに抑えられることで、前記スプリングに引張られている前記シャッタ板を紙葉類の先端部が当接するような位置に引き寄せ、前記第２のシャッタ板駆動アームの動きに応じて移動する前記ローラが前記第２のシャッタ板駆動アームに引張られて上昇したときに、前記シャッタ板への取り付け部を回動の中心として前記シャッタ板とともに、前記スプリングに引張られて回動する第３のシャッタ板駆動アームとを備えて構成されることを特徴とする紙葉類給紙機構。
【請求項５】
請求項１，請求項２，請求項３または請求項４記載の紙葉類給紙機構において、前記シャッタ板は、取り付けられた前記ホッパの底部の一端を開閉の中心として開閉することを特徴とする紙葉類給紙機構。
【請求項６】
請求項１または請求項２記載の紙葉類給紙機構において、前記ホッパへ積載される前記紙葉類の先端部が前記シャッタ板に当接する角度はあらかじめ決められた角度が直角であることを特徴とする紙葉類給紙機構。
【発明の詳細な説明】
【０００１】
【発明の属する技術分野】
本発明は紙葉類給紙機構に関し、特にホッパを用いた紙葉類給紙機構に関する。
【０００２】
【従来の技術】
従来のホッパを用いた紙葉類給紙機構は、図６（ａ）に示すように、多量の紙葉類２を積載するホッパ１と、給紙用アーム６の先端に取り付けられた、紙葉類２の搬送時に駆動伝達系（図示せず）により矢印３５，３６および３７の方向に回転する給紙用ローラ７ａと、給紙ローラ７ｂと、トルクリミッタを内蔵し紙葉類２の２枚送りを防止するローラ８と、およびホッパ１に対し鈍角に配置され、紙葉類２をホッパ１から読み取り部（図示せず）まで導くガイド２１により構成される。
【０００３】
図６（ａ）において、給紙時に給紙用アーム６の先端部が下降し先端部の給紙用ローラ７ａが紙葉類２に接触して給紙が開始されると、駆動伝達系（図示せず）により矢印３５および３６の方向に給紙用ローラ７ａおよび給紙用ローラ７ｂが回転して紙葉類２を矢印３８の方向に搬送する。このとき、ローラ８は矢印３７の方向に回転して紙葉類２を搬送する。もし、このとき、ホッパ１から送出される紙葉類２が２枚一緒に送出されたときには、ローラ８は、次のように動作して紙葉類２の２枚送りを防止する。ローラ８はトルクリミッタを内蔵しているが、このトルクリミッタは外輪と内輪とから構成され、ローラの表面部に接触している外輪が一定の値のトルクを加えられると、そのトルクにより内輪との摩擦に打ち勝って回転するが、外部から加えられるトルクが前記一定の値ち達しないと内輪との摩擦によって停止するようになっている。従って、ローラ８とローラ７ａとの間にはさまっている紙葉類２が１枚のときには、矢印３８の方向に搬送される紙葉類２との間の摩擦によって生じるトルクが加えられると、そのトルクにより内輪との摩擦に打ち勝って回転するが、ローラ８とローラ７ａとの間にはさまっている紙葉類が２枚になると、上部の１枚目の紙葉類とローラ８に接触している下部の２枚目の紙葉類との間の摩擦の方が紙葉類とローラ８との間の摩擦より小さいために、上部の１枚目の紙葉類とローラ８に接触している下部の２枚目の紙葉類との間が滑り、ローラ８に接触している下部の２枚目の紙葉類は、ローラ８との間の摩擦力により引止められ、ローラ８も回転を停止する。
【０００４】
図６（ｂ）に示すように、従来の紙葉類給紙機構では、多量の紙葉類２をホッパ１に積載する際に紙葉類２をホッパ１の奥深くに押し込んで積載したときには、紙葉類２の先端がガイド２１に沿ってずれてしまうことがあり、このとき、紙葉類２の先端が揃わないままホッパ１からの給紙を開始してしまうとホッパ１から送出される紙葉類２が２枚重なった状態で送出されしまうことになる。このとき、紙葉類２の２枚送りを防止するローラ８の働きによって大部分の２枚送りが防止されるものの、ローラ８を通り抜けてしまう２枚送りの発生を皆無にすることは困難である。また、ホッパから一度に多数の紙葉類２が送出されて搬送路をつまらせ全然紙葉類２が搬送されない状態になったりする給紙障害が生じてしまうこともある。さらに、これらの問題のために、ホッパ１への紙葉類２の積載容量を増加させることが難しくなるという問題もある。
【０００５】
【発明が解決しようとする課題】
上述した従来の紙葉類給紙機構は、多量の紙葉類をホッパに積載する際に紙葉類をホッパの奥深く押し込んだ場合、紙葉類の先端がガイドに沿ってずれてしまい、紙葉類の先端が揃わないままホッパからの給紙を開始してしまうとホッパから搬送される紙葉類が２枚重なった状態で送出され易くなったり、あるいはホッパから一度に多数の紙葉類が送出されて搬送路をつまらせ全然紙葉類が搬送されない状態になったりする給紙障害を生じやすいという欠点を有している。
【０００６】
また、上記のような欠点を有しているため、ホッパへの紙葉類の積載容量を増加させることが難しいという欠点を有している。
【０００７】
本発明の目的は、紙葉類のホッパへの積載時に紙葉類の先端部分がホッパの奥深くに押し込まれず各紙葉類の先端部分が揃って積載される紙葉類給紙機構を提供することにある。
【０００８】
【課題を解決するための手段】
第１の発明の紙葉類給紙機構は、ホッパに積載した紙葉類を順次送出する紙葉類給紙機構において、前記ホッパへ前記紙葉類を積載する掲載時に積載された全ての前記紙葉類の先端部が一直線に揃い、かつ前記紙葉類の先端部が前記ホッパの底部に対してあらかじめ決められた角度で積載されるよう前記紙葉類の先端部を支えるシャッタ板を設け、給紙開始時に前記シャッタ板が前記紙葉類の前記先端部から回動して前記ホッパから送出される前記紙葉類の搬送路を構成するガイド板として機能するように構成される。
【０００９】
また、第２の発明の紙葉類給紙機構は、読み取り機構に供給する紙葉類を積載するホッパと、前記ホッパに積載された前記紙葉類を前記読み取り機構へ供給する給紙時に前記ホッパに積載された前記紙葉類の最上部の紙葉類に接触した状態で前記紙葉類を１枚ずつ送出するローラを先端に設けた給紙用アームとを備えた紙葉類給紙機構において、前記ホッパへの前記紙葉類の積載時に前記ホッパへ積載される前記紙葉類の先端部が当接して積載された全ての前記紙葉類の先端部が一直線に揃うように、かつ前記ホッパの底部に対しての、一直線に揃った先端部の角度があらかじめ決められた角度になるように前記ホッパの底部に設けられ、前記給紙の開始時に前記給紙用アームの下降動作と連動して、前記給紙用アームの先端に設けられた前記ローラが前記紙葉類の最上部の紙葉類に接触したときに前記紙葉類の前記先端部から離れて、前記読み取り機構に送出される前記紙葉類の搬送路を構成するガイド板として機能し、前記ホッパの紙葉類が無くなったときの前記給紙用アームの上昇動作と連動して、前記給紙の開始時の元の位置に戻るシャッタ板と、前記給紙用アームの動作と連動して前記シャッタ板を駆動するシャッタ板駆動手段とを備えて構成される。
【００１０】
また、第３の発明の紙葉類給紙機構は、第２の発明の紙葉類給紙機構において、前記ホッパに積載された前記紙葉類が全て送出され無くなったことが検出されとき、前記シャッタ板が前記シャッタ駆動板手段に駆動されて前記ホッパへの前記紙葉類の積載時の位置に戻るように構成される。
【００１１】
また、第４の発明の紙葉類給紙機構は、第２または第３の発明の紙葉類給紙機構において、前記シャッタ板駆動手段は、前記給紙用アームを上下動させる駆動源となるモータと、前記モータの駆動力を伝達する前記ギヤと、前記ギヤと連動して回転するシャフトと、前記ギヤが取り付けられた一端と反対側の、前記シャフトの一端に直角に一端を取り付けられた第１のシャッタ板駆動アームと、一端を前記第１のシャッタ板駆動アームの一端と回動自由に重ねて結合され、前記第１のシャッタ板駆動アームの回転運動に応じてピストン運動をして前記第１のシャッタ板駆動アームの回転運動を直線運動に変換する第２のシャッタ板駆動アームと、前記第１のシャッタ板駆動アームに取り付けられた一端と反対側の、前記第２のシャッタ板駆動アームの先端に取り付けられ、ピストン運動を行う前記第２のシャッタ板駆動アームの動きに応じて移動するローラと、前記ローラの動きを規正するガイドと、前記シャッタ板に取り付けられ、前記シャッタ板を前記紙葉類の先端部から離すように引張るスプリングと、前記シャッタ板に取り付けられ、前記ローラに抑えられることで、前記スプリングに引張られている前記シャッタ板を紙葉類の先端部が当接するような位置に引き寄せ、前記第２のシャッタ板駆動アームの動きに応じて移動する前記ローラが前記第２のシャッタ板駆動アームに引張られて上昇したときに、前記シャッタ板への取り付け部を回動の中心として前記シャッタ板とともに、前記スプリングに引張られて回動する第３のシャッタ板駆動アームとを備えて構成される。
【００１２】
また、第５の発明の紙葉類給紙機構は、第１の発明，第２の発明，第３の発明または第４の発明の紙葉類給紙機構において、前記シャッタ板は、取り付けられた前記ホッパの底部の一端を開閉の中心として開閉するように構成される。
【００１３】
また、第６の発明の紙葉類給紙機構は、第１の発明または第２の発明の紙葉類給紙機構において、前記ホッパへ積載される前記紙葉類の先端部が前記シャッタ板に当接する角度はあらかじめ決められた角度が直角であるように構成される。
【００１４】
【発明の実施の形態】
次に、本発明の実施の形態について図面を参照して説明する。
【００１５】
図１は、本発明の紙葉類給紙機構の実施の一形態を示す構成図である。
【００１６】
図１に示す本実施の形態の紙葉類給紙機構は、読み取り機構（図示せず）に供給する紙葉類を積載するホッパ１と、ホッパ１に積載された紙葉類２を前記読み取り機構へ供給する給紙時に駆動伝達系（図示せず）により駆動されて回転し、ホッパ１に積載された紙葉類２の最上部の紙葉類２に接触した状態で紙葉類２を１枚ずつ送出するローラ７ａと、ローラ７ａを先端部に設けた給紙用アーム６と、給紙用アーム６の回転中心となる給紙用ローラ７ｂと、トルクリミッタを内蔵し紙葉類の２枚送りを防止するローラ８と、給紙用アーム６を上下動させる駆動源となるモータ１１と、モータ１１の回転駆動力を伝達するギヤ１０およびギヤ９と、ギヤ９の側面に垂直に取り付けられた給紙用アーム６を支える支柱４と、ギヤ１０と連動して回転するシャフト１３と、ギヤ１０が取り付けられた一端と反対側の、シャフト１３の一端に直角に一端を取り付けられたアーム１４（第１のシャッタ板駆動アーム）と、一端をアーム１４の一端に回動自由に重ねて結合され、アーム１４の回転運動に応じてピストン運動をしてアーム１４の回転運動を直線運動に変換するアーム１５（第２のシャッタ板駆動アーム）と、アーム１４に取り付けられた一端と反対側の、アーム１５の先端に取り付けられ、ピストン運動を行うアーム１５の動きに応じて移動するローラ１６と、ローラ１６の動きを規正するガイド１７と、図２に示すように、ホッパ１への紙葉類２の積載時にホッパ１へ積載される紙葉類２の先端部が当接して積載された全ての紙葉類２の先端部が一直線に揃い、かつ、ホッパ１の底部に対しての、一直線に揃った先端部の角度があらかじめ決められた角度で、例えば垂直になるように、ホッパ１の底部に設けられ、給紙の開始時に給紙用アームの下降動作と連動して、給紙用アームの先端に設けられたローラ７ａが紙葉類２の最上部の紙葉類２に接触したときに紙葉類２の先端部から離れて、読み取り機構に送出される紙葉類２の搬送路を構成するガイド板として機能し、ホッパ１の紙葉類２が無くなったときの給紙用アームの上昇動作と連動して、給紙の開始時の元の位置に戻るシャッタ板１２と、シャッタ板１２に取り付けられ、シャッタ板１２を紙葉類２の先端部から離すように引張るスプリング２０と、シャッタ板１２に取り付けられ、ローラ１６に抑えられることで、スプリング２０に引張られているシャッタ板１２を紙葉類２の先端部が当接するような位置に引き寄せ、アーム１５の動きに応じて移動するローラ１６がアーム１５に引張られて上昇したときに、シャッタ板１２への取り付け部を回動の中心としてシャッタ板１２とともに、スプリング２０に引張られて回動するアーム１８と、シャッタ板１２が取り付けられたシャフト２３を支える為のブラケット１９と、紙葉類をホッパ１から読み取り部まで搬送するためのガイド２１と、ホッパ１上の紙葉類の有無を検出するセンサ２２とから構成される。
【００１７】
次に、本発明の給紙機構の動作の詳細を説明する。
【００１８】
ホッパ１上に紙葉類２がセットされていないときには、給紙用アーム６は上に上がってギヤ９の支柱４により保持され、シャッタ板１２はホッパ１の底部の面に対し垂直にセットされている。図３（ａ）に示すように、紙葉類２がホッパ１に積載されると、ホッパ１の底部に設けられたセンサ２２が積載された紙葉類２を検出する。このとき、図３（ａ）に示すように、複数の紙葉類２がホッパ１に積載されると、それぞれの紙葉類２の先端はシャッタ板１２に突き当たるような状態で積載されるので、シャッタ板１２によってホッパ１の底部の面に対し垂直に先端が一直線に揃った状態に積載される。
【００１９】
センサ２２が紙葉類２を検出すると、図３（ｂ）に示すように、モータ１１が起動して矢印２５の方向に回転し、ギヤ１０を矢印２６の方向に駆動する。ギヤ１０の回転によってギヤ９が矢印２７の方向に駆動されると、給紙用アーム６は、図１に示される、本体部分から途中まで切り裂かれて上方に反りかえったような形状をした端側の部分がギヤ９の支柱４により支えられながら、図３（ｂ）に示されるように、ギヤ９の回転による支柱４の下降とともに先端部を矢印２８の方向に下降させ、給紙用アーム６の先端部の給紙用ローラ７ａは、積載された最上部の紙葉類に接して停止する。給紙用アーム６は、積載された最上部の紙葉類に接する位置まではギヤ９の支柱４により支えられるが、その後は積載された最上部の紙葉類に接する給紙用ローラ７ａによって支えられる。このように、給紙用アーム６は、給紙用ローラ７ｂを回転の中心にして回動し、たとえホッパ１に積載の紙葉類２が１枚であっても、その紙葉類２の上面に給紙用ローラ７ａが接するまで先端部の給紙用ローラ７ａを下降させることができるように構成されるが、先端部の給紙用ローラ７ａが積載された最上部の紙葉類に接すると停止する。
【００２０】
一方、モータ１１によって駆動されたギヤ１０の回転によりシャフト１３が回転し、シャフト１３が回転することでアーム１４がシャフト１３を回転軸として回転し、アーム１４の回転によりアーム１４の先端に回動自在に結合されているアーム１５は、アーム１４の回転運動に駆動されピストン運動を行い、回転運動を直線運動に変換して他端に設けられているローラ１６を駆動する。ローラ１６は、アーム１５のピストン運動により、アーム１８上を、アーム１８を抑えつけながら移動するが、ローラ１６がアーム１８上を移動しながらアーム１８を抑えつけている間は、シャッタ板１２はホッパ１の底部の面に対し垂直にセットされたままとなっている。すなわち、給紙用アーム６があらかじめ決められた位置まで下降するまでの間、シャッタ板１２はホッパ１に対し垂直に保持されることになる。このとき、ローラ１６の動作はアーム１８の上をアーム１８に沿って動くようガイド１７により規正される。
【００２１】
図４（ａ）に示すように、給紙用アーム６があらかじめ決められた位置まで下降したとき、ローラ１６は、アーム１８を抑え付けながら移動してきたそれまでの位置より上の方へ、アーム１８から離れて移動するようにガイド１７によって規正される。ローラ１６が、アーム１８から離れて矢印２９の方向に移動する動きをすることによって、シャッタ板１２に取り付けられていたアーム１８は、シャッタ板１２とともにスプリング２０により引張られ、シャッタ板１２はシャフト２３を中心に回動しガイド２１側へ（矢印３０の方向に）引き倒されて、紙葉類２の搬送路上のガイドとなる。
【００２２】
上記の動作を終了すると、モータ１１は停止し、給紙用アーム６およびシャッタ板１２の駆動動作は停止し給紙は給紙用ローラ７ａの回転によって給紙が開始される。なお、上記の動作が終了したと、モータ１１が停止するのは、センサ２２が紙葉類２を検出してモータ１１が起動するときに時間のカウントを開始する第１のタイマー（図示せず）により、あらかじめ決められた一定の時間のカウントが行われ、その一定の時間のカウントが終了したときモータ１１が停止するように構成されることによる。このあらかじめ決められた一定の時間としては、給紙用アーム６がホッパ１の底部に十分接触するに必要な時間が設定されるが、運用時にホッパ１に積載される紙葉類２の厚さを考慮し給紙用アーム６が積載された紙葉類２の最上部に接触する必要な時間を設定することも可能である。すなわち、ホッパ１に積載される紙葉類２の厚さ、および給紙用アーム６の動作のタイミングを考慮して最適な設定値になるように変更することが可能である。
【００２３】
給紙用ローラ７ａの回転は、駆動伝達系（図示せず）により回転し、紙葉類２の給紙を行う。給紙された紙葉類２はシャッタ板１２およびガイド２１に沿って給紙ローラ７ｂに搬送される。このとき、シャッタ板１２およびガイド２１はホッパ１に対し鈍角に配置されるので給紙の妨げにはならず、また、多数の紙葉類２がホッパ１に積載されても、給紙の最初から最後まで安定した給紙が可能である。
【００２４】
さらに、図４（ｂ）に示すように、給紙が行われて給紙用アーム６の先端部が矢印３１の方向に下降していき、ホッパ１上に紙葉類２が無くなり、センサ２２が紙葉類の無い状態を検出すると、また、モータ１１が起動する。図５に示すように、モータ１１の駆動力がギヤ１０を矢印２６方向に、ギヤ９を矢印２７方向に、および支柱４を介して給紙用アーム６の先端部を矢印３２方向に上昇させるように回動する。同時に、モータ１１の駆動力は、ギヤ１０、シャフト１３、アーム１４、およびアーム１５を介しローラ１６へ伝達される。このとき、図５に示すように、ローラ１６の動きは、ガイド１７により下方へ規正されてアーム１８に突き当たり、矢印３３のようにアーム１８の上を移動してアーム１８を下へ抑え付けるので、アーム１８はシャッタ板１２とともにスプリング２０の引張る力に抗して、給紙の開始前の元の位置に戻るように回動し、シャッタ板１２はシャフト２３を中心に矢印３４の方向に回動しホッパ１の底部に対し垂直になるようにセットされる。同時に、モータ１１の駆動力はギヤ９を矢印２７の方向に回転させるので、給紙用アーム６の先端部は、ギヤ９の支柱４により支えられながら上方に持ち上げられ、あらかじめ決められた位置まで持ち上げられたとき、モータ１１が停止するので、その位置に保持される。このときのモータ１１の停止の制御は、給紙用アーム６の先端部が所定の位置まで引きあげられたことを検出するための、センサ２２と別のセンサ（図示せず）が、給紙用アーム６の先端部が所定の位置まで引きあげられたことを検出することにより行われる。これにより、紙葉類２の積載前のホッパ１上に紙葉類２がセットされていないときの最初の状態に戻る。
【００２５】
なお、上記の説明では、給紙動作の開始時にセンサ２２が紙葉類２を検出するとモータ１１が起動するように説明したが、こときに第２のタイマーを設けてセンサ２２が紙葉類２を検出してからモータ１１が起動するまでの時間の長さを自由に設定できるように構成してもよい。
【００２６】
【発明の効果】
以上説明したように、本発明の紙葉類給紙機構は、読み取り機構に供給する紙葉類を積載するホッパと、前記ホッパに積載された前記紙葉類を前記読み取り機構へ供給する給紙時に前記ホッパに積載された前記紙葉類の最上部の紙葉類に接触した状態で前記紙葉類を１枚ずつ送出するローラを先端に設けた給紙用アームとを備えた紙葉類給紙機構において、前記ホッパへの前記紙葉類の積載時に前記ホッパへ積載される前記紙葉類の先端部が当接して積載された全ての前記紙葉類の先端部が一直線に揃うように、かつ前記ホッパの底部に対しての、一直線に揃った先端部の角度があらかじめ決められた角度になるように前記ホッパの底部に設けられ、前記給紙の開始時に前記給紙用アームの下降動作と連動して、前記給紙用アームの先端に設けられた前記ローラが前記紙葉類の最上部の紙葉類に接触したときに前記紙葉類の前記先端部から離れて、前記読み取り機構に送出される前記紙葉類の搬送路を構成するガイド板として機能し、前記ホッパの紙葉類が無くなったときの前記給紙用アームの上昇動作と連動して、前記給紙の開始時の元の位置に戻るシャッタ板と、前記給紙用アームの動作と連動して前記シャッタ板を駆動するシャッタ板駆動手段とを備えることにより、紙葉類のホッパへの積載時に紙葉類の先端部分がホッパの奥深くに押し込まれることを防止し、各紙葉類の先端部分を一直線に揃えて積載することができるので、紙葉類が２枚重なった状態でホッパから送出される２枚送りの発生件数を減らすことができ、またホッパから一度に多数の紙葉類が送出されて搬送路をつまらせてしまう給紙障害の頻度を減らすことができるという効果を有している。
【００２７】
また、２枚送りや搬送路をつまらせてしまう給紙障害の頻度を減少させることができるので、ホッパへの紙葉類の積載容量を増加させることが容易になるという効果を有している。
【図面の簡単な説明】
【図１】本発明の紙葉類給紙機構の実施の一形態を示す構成図である。
【図２】図１の紙葉類給紙機構を側面から見た模式図である。
【図３】図１の紙葉類給紙機構における動作を説明するための説明図である。
【図４】図１の紙葉類給紙機構における動作を説明するための説明図である。
【図５】図１の紙葉類給紙機構における動作を説明するための説明図である。
【図６】従来の紙葉類給紙機構における動作を説明するための模式図である。
【符号の説明】
１    ホッパ
２    紙葉類
４    支柱
６    給紙用アーム
７ａ，７ｂ    給紙用ローラ
８    ローラ
９    ギヤ
１０    ギヤ
１１    モータ
１２    シャッタ板
１３    シャフト
１４，１５    アーム
１６    ローラ
１７    ガイド
１８    アーム
１９    ブラケット
２０    スプリング
２１    ガイド
２２    センサ
２３    シャフト
２５〜３４    矢印
３５〜３８    矢印
【図１】
0003932657.tif 000002
【図２】
0003932657.tif 000003
【図３】
0003932657.tif 000004
【図４】
0003932657.tif 000005
【図５】
0003932657.tif 000006
【図６】
0003932657.tif 000007